(57)【特許請求の範囲】
【請求項１】
ユーザを識別する情報であるユーザ識別情報を受け付けるユーザ識別情報受付部と、
前記ユーザ識別情報受付部が受け付けたユーザ識別情報で識別されるユーザが使用している電子ペンを識別する情報である電子ペン識別情報を受信する電子ペン識別情報受信部と、
前記ユーザが前記電子ペンを使用して名前を記載した際の当該記載に関する情報である記載情報を受信する記載情報受信部と、
ユーザ識別情報と、当該ユーザ識別情報で識別されるユーザの電子ペンを識別する電子ペン識別情報とを対応付ける情報である対応情報が記憶される対応情報記憶部と、
前記対応情報を用いて、前記ユーザ識別情報受付部が受け付けたユーザ識別情報を用いた認証と、前記電子ペン識別情報受信部が受信した電子ペン識別情報を用いた認証と、前記記載情報受信部が受信した記載情報を用いた認証とを行う認証部と、
ユーザ識別情報に関する認証結果を示す情報と、電子ペン識別情報に関する認証結果を示す情報と、記載情報に関する認証結果を示す情報と、それぞれの認証結果に応じて実行する処理を示す情報である処理情報とを対応付ける情報を３以上有する認証結果対応情報が記憶される認証結果対応情報記憶部と、
前記認証結果対応情報において、前記認証部によるユーザ識別情報に関する認証結果と、電子ペン識別情報に関する認証結果と、記載情報に関する認証結果とに対応する処理情報の示す処理を実行する実行部と、を備えた電子ペン認証装置。
【請求項２】
前記ユーザ識別情報受付部は、ユーザ識別情報とパスワードとを受け付けるものであり、
前記対応情報記憶部で記憶される対応情報は、ユーザ識別情報と、当該ユーザ識別情報に対応するパスワードとをも対応付ける情報であり、
前記認証部は、前記ユーザ識別情報受付部が受け付けたユーザ識別情報と、パスワードとが前記対応情報において対応付けられている場合に、前記ユーザ識別情報に関する認証において正当であると認証し、前記ユーザ識別情報受付部が受け付けたユーザ識別情報と、前記電子ペン識別情報受信部が受信した電子ペン識別情報とが前記対応情報において対応付けられている場合に、前記電子ペン識別情報に関する認証において正当であると認証する、請求項１記載の電子ペン認証装置。
【請求項３】
前記対応情報記憶部で記憶される対応情報は、ユーザ識別情報と、当該ユーザ識別情報で識別されるユーザが過去に電子ペンを使用して名前を記載した際の当該記載に関する情報である過去記載情報とをも対応付ける情報であり、
前記認証部は、前記ユーザ識別情報受付部が受け付けたユーザ識別情報と、前記記載情報受信部が受信した記載情報に一致する過去記載情報とが前記対応情報において対応付けられている場合に、前記記載情報に関する認証において正当であると認証する、請求項１または請求項２記載の電子ペン認証装置。
【請求項４】
前記認証部による認証の結果を示す情報である認証結果情報を出力する認証結果情報出力部をさらに備えた、請求項１から請求項３のいずれか記載の電子ペン認証装置。
【請求項５】
前記記載情報は、画数、筆跡、筆圧、記載時間、書き順のうちの１以上のものを示す情報である、請求項１から請求項４のいずれか記載の電子ペン認証装置。
【請求項６】
前記記載情報は、電子ペンによる記載対象の座標値を少なくとも示す情報であり、
前記記載情報から、画数、筆跡、筆圧、記載時間、書き順のうちの１以上のものを示す情報を取得する情報取得部をさらに備え、
前記認証部は、前記情報取得部が取得した情報を用いて記載情報に関する認証を行う、請求項１から請求項４のいずれか記載の電子ペン認証装置。
【請求項７】
前記認証結果対応情報記憶部では、ユーザ識別情報に関する認証結果が正当であることを示す情報と、電子ペン識別情報に関する認証結果が正当でないことを示す情報と、記載情報に関する認証結果が正当であることを示す情報と、電子ペンの交換を要求する情報である交換要求情報を出力する処理を示す処理情報とを対応付ける認証結果対応情報が少なくとも記憶される、請求項１から請求項６のいずれか記載の電子ペン認証装置。
【請求項８】
前記実行部は、電子ペンの交換を要求する情報である交換要求情報を出力する処理を実行する場合に、正当でないと認証された電子ペン識別情報で識別される電子ペンに交換要求情報を送信する、請求項７記載の電子ペン認証装置。
【請求項９】
テスト問題を示す情報であるテスト問題情報が記憶されるテスト問題情報記憶部をさらに備え、
前記認証結果対応情報記憶部では、ユーザ識別情報に関する認証結果が正当であることを示す情報と、電子ペン識別情報に関する認証結果が正当であることを示す情報と、記載情報に関する認証結果が正当であることを示す情報と、前記テスト問題情報を出力する処理を示す処理情報とを対応付ける認証結果対応情報が少なくとも記憶される、請求項１から請求項６のいずれか記載の電子ペン認証装置。
【請求項１０】
ユーザ識別情報受付部と、電子ペン識別情報受信部と、記載情報受信部と、対応情報記憶部と、認証部と、認証結果対応情報記憶部と、実行部とを用いて処理される電子ペン認証方法であって、
前記ユーザ識別情報受付部が、ユーザを識別する情報であるユーザ識別情報を受け付けるユーザ識別情報受付ステップと、
前記電子ペン識別情報受信部が、前記ユーザ識別情報受付ステップで受け付けたユーザ識別情報で識別されるユーザが使用している電子ペンを識別する情報である電子ペン識別情報を受信する電子ペン識別情報受信ステップと、
前記記載情報受信部が、前記ユーザが前記電子ペンを使用して名前を記載した際の当該記載に関する情報である記載情報を受信する記載情報受信ステップと、
前記認証部が、前記対応情報記憶部で記憶される、ユーザ識別情報と、当該ユーザ識別情報で識別されるユーザの電子ペンを識別する電子ペン識別情報とを対応付ける情報である対応情報を用いて、前記ユーザ識別情報受付ステップで受け付けたユーザ識別情報を用いた認証と、前記電子ペン識別情報受信ステップで受信した電子ペン識別情報を用いた認証と、前記記載情報受信ステップで受信した記載情報を用いた認証とを行う認証ステップと、
前記実行部が、前記認証結果対応情報記憶部で記憶される、ユーザ識別情報に関する認証結果を示す情報と、電子ペン識別情報に関する認証結果を示す情報と、記載情報に関する認証結果を示す情報と、それぞれの認証結果に応じて実行する処理を示す情報である処理情報とを対応付ける情報を３以上有する認証結果対応情報において、前記認証ステップにおけるユーザ識別情報に関する認証結果と、電子ペン識別情報に関する認証結果と、記載情報に関する認証結果とに対応する処理情報の示す処理を実行する実行ステップと、を備えた電子ペン認証方法。
【請求項１１】
コンピュータを、
ユーザを識別する情報であるユーザ識別情報を受け付けるユーザ識別情報受付部と、
前記ユーザ識別情報受付部が受け付けたユーザ識別情報で識別されるユーザが使用している電子ペンを識別する情報である電子ペン識別情報を受信する電子ペン識別情報受信部と、
前記ユーザが前記電子ペンを使用して名前を記載した際の当該記載に関する情報である記載情報を受信する記載情報受信部と、
対応情報記憶部で記憶される、ユーザ識別情報と、当該ユーザ識別情報で識別されるユーザの電子ペンを識別する電子ペン識別情報とを対応付ける情報である対応情報を用いて、前記ユーザ識別情報受付部が受け付けたユーザ識別情報を用いた認証と、前記電子ペン識別情報受信部が受信した電子ペン識別情報を用いた認証と、前記記載情報受信部が受信した記載情報を用いた認証とを行う認証部と、
認証結果対応情報記憶部で記憶される、ユーザ識別情報に関する認証結果を示す情報と、電子ペン識別情報に関する認証結果を示す情報と、記載情報に関する認証結果を示す情報と、それぞれの認証結果に応じて実行する処理を示す情報である処理情報とを対応付ける情報を３以上有する認証結果対応情報において、前記認証部によるユーザ識別情報に関する認証結果と、電子ペン識別情報に関する認証結果と、記載情報に関する認証結果とに対応する処理情報の示す処理を実行する実行部として動作させるためのプログラム。
【発明の詳細な説明】
【技術分野】
【０００１】
本発明は、ユーザ識別情報や、電子ペン識別情報等を用いた認証を行う電子ペン認証装置等に関する。
【背景技術】
【０００２】
従来、イーラーニングシステムにおいて、不正防止の観点から受講生の認証が行われていた（例えば、特許文献１参照）。
【特許文献１】特開２００６−１８９５５８号公報
【発明の開示】
【発明が解決しようとする課題】
【０００３】
しかしながら、従来例のイーラーニングの方法では、受講者の認証において、正当であるか正当でないかを認証するのみであり、細かい認証を行うことができないという問題があった。例えば、ユーザＩＤやパスワードは正当であったとしても、その他の情報から、不正が行われている可能性が高いことを検知することができなかった。
【０００４】
一般的に言うと、所定の入力デバイスを用いたデータ入力時（例えば、上記従来例の場合には回答の入力時）に、細かい認証を行うことができないという問題があった。
【０００５】
本発明は、上記の事情を考慮してなされたものであり、情報の入力を行う際に、電子ペンを用いた細かい認証を行うことができる電子ペン認証装置等を提供することを目的とする。
【課題を解決するための手段】
【０００６】
上記目的を達成するため、本発明による電子ペン認証装置は、ユーザを識別する情報であるユーザ識別情報を受け付けるユーザ識別情報受付部と、前記ユーザ識別情報受付部が受け付けたユーザ識別情報で識別されるユーザが使用している電子ペンを識別する情報である電子ペン識別情報を受信する電子ペン識別情報受信部と、前記ユーザが前記電子ペンを使用して名前を記載した際の当該記載に関する情報である記載情報を受信する記載情報受信部と、ユーザ識別情報と、当該ユーザ識別情報で識別されるユーザの電子ペンを識別する電子ペン識別情報とを対応付ける情報である対応情報が記憶される対応情報記憶部と、前記対応情報を用いて、前記ユーザ識別情報受付部が受け付けたユーザ識別情報を用いた認証と、前記電子ペン識別情報受信部が受信した電子ペン識別情報を用いた認証と、前記記載情報受信部が受信した記載情報を用いた認証とを行う認証部と、を備えたものである。
【０００７】
このような構成により、ユーザ識別情報、電子ペン識別情報、記載情報ごとの認証を行うことができ、より細かい認証を行うことができうる。例えば、ユーザ識別情報と、電子ペン識別情報とを用いて正当であると認証されたとしても、記載情報を用いて正当でないと認証された場合には、不正の行われている可能性の高いことを検知することができうる。
【０００８】
また、本発明による電子ペン認証装置では、前記ユーザ識別情報受付部は、ユーザ識別情報とパスワードとを受け付けるものであり、前記対応情報記憶部で記憶される対応情報は、ユーザ識別情報と、当該ユーザ識別情報に対応するパスワードとをも対応付ける情報であり、前記認証部は、前記ユーザ識別情報受付部が受け付けたユーザ識別情報と、パスワードとが前記対応情報において対応付けられている場合に、前記ユーザ識別情報に関する認証において正当であると認証し、前記ユーザ識別情報受付部が受け付けたユーザ識別情報と、前記電子ペン識別情報受信部が受信した電子ペン識別情報とが前記対応情報において対応付けられている場合に、前記電子ペン識別情報に関する認証において正当であると認証してもよい。
【０００９】
このような構成により、パスワードを用いて、ユーザ識別情報に関する認証を行うことができる。その結果、ユーザ識別情報に関するより厳密な認証ができうることになる。
【００１０】
また、本発明による電子ペン認証装置では、前記対応情報記憶部で記憶される対応情報は、ユーザ識別情報と、当該ユーザ識別情報で識別されるユーザが過去に電子ペンを使用して名前を記載した際の当該記載に関する情報である過去記載情報とをも対応付ける情報であり、前記認証部は、前記ユーザ識別情報受付部が受け付けたユーザ識別情報と、前記記載情報受信部が受信した記載情報に一致する過去記載情報とが前記対応情報において対応付けられている場合に、前記記載情報に関する認証において正当であると認証してもよい。
【００１１】
このような構成により、過去記載情報を用いて、記載情報に関する認証を行うことができる。その結果、記載情報に関するより厳密な認証ができうることになる。
【００１２】
また、本発明による電子ペン認証装置では、前記認証部による認証の結果を示す情報である認証結果情報を出力する認証結果情報出力部をさらに備えてもよい。
このような構成により、例えば、出力された認証結果情報によって、ユーザ等が認証結果を知ることができるようになりうる。
【００１３】
また、本発明による電子ペン認証装置では、前記記載情報は、画数、筆跡、筆圧、記載時間、書き順のうちの１以上のものを示す情報であってもよい。
このような構成により、例えば、記載情報に含まれる画数等を用いることによって、記載情報に関する認証を行うことができるようになる。
【００１４】
また、本発明による電子ペン認証装置では、前記記載情報は、電子ペンによる記載対象の座標値を少なくとも示す情報であり、前記記載情報から、画数、筆跡、筆圧、記載時間、書き順のうちの１以上のものを示す情報を取得する情報取得部をさらに備え、前記認証部は、前記情報取得部が取得した情報を用いて記載情報に関する認証を行ってもよい。
【００１５】
このような構成により、例えば、記載情報に含まれる座標値等から、画数等の情報を取得することができ、その取得された画数等の情報を用いることによって、記載情報に関する認証を行うことができるようになる。
【００１６】
また、本発明による電子ペン認証装置では、ユーザ識別情報に関する認証結果を示す情報と、電子ペン識別情報に関する認証結果を示す情報と、記載情報に関する認証結果を示す情報と、認証結果に応じて実行する処理を示す情報である処理情報とを対応付ける認証結果対応情報が記憶される認証結果対応情報記憶部と、前記認証結果対応情報において、前記認証部によるユーザ識別情報に関する認証結果と、電子ペン識別情報に関する認証結果と、記載情報に関する認証結果とに対応する処理情報の示す処理を実行する実行部と、をさらに備えてもよい。
【００１７】
このような構成により、ユーザ識別情報、電子ペン識別情報、記載情報のそれぞれの認証結果に応じた処理を実行することができるようになり、細かい認証結果を有効に利用することができうることになる。
【００１８】
また、本発明による電子ペン認証装置では、前記認証結果対応情報記憶部では、ユーザ識別情報に関する認証結果が正当であることを示す情報と、電子ペン識別情報に関する認証結果が正当でないことを示す情報と、記載情報に関する認証結果が正当であることを示す情報と、電子ペンの交換を要求する情報である交換要求情報を出力する処理を示す処理情報とを対応付ける認証結果対応情報が少なくとも記憶されてもよい。
【００１９】
このような構成により、ユーザ識別情報、記載情報に関する認証結果が正当であるが、電子ペン識別情報に関する認証結果が正当でない場合には、電子ペンの交換を促すことができる。ユーザが自分の電子ペンを使用していないと考えられるからである。
【００２０】
また、本発明による電子ペン認証装置では、前記実行部は、電子ペンの交換を要求する情報である交換要求情報を出力する処理を実行する場合に、正当でないと認証された電子ペン識別情報で識別される電子ペンに交換要求情報を送信してもよい。
このような構成により、例えば、電子ペンにおいて、交換要求情報が出力されることになり、電子ペンのユーザに確実に交換要求情報を認知させることができうることになる。
【００２１】
また、本発明による電子ペン認証装置では、テスト問題を示す情報であるテスト問題情報が記憶されるテスト問題情報記憶部をさらに備え、前記認証結果対応情報記憶部では、ユーザ識別情報に関する認証結果が正当であることを示す情報と、電子ペン識別情報に関する認証結果が正当であることを示す情報と、記載情報に関する認証結果が正当であることを示す情報と、前記テスト問題情報を出力する処理を示す処理情報とを対応付ける認証結果対応情報が少なくとも記憶されてもよい。
【００２２】
このような構成により、ユーザ識別情報、電子ペン識別情報、記載情報に関する認証結果が正当である場合に、テストが実行されることになる。
【発明の効果】
【００２３】
本発明による電子ペン認証装置等によれば、情報の入力を行う際に、電子ペンを用いた細かい認証を行うことができる。
【発明を実施するための最良の形態】
【００２４】
以下、本発明による電子ペン認証装置について、実施の形態を用いて説明する。なお、以下の実施の形態において、同じ符号を付した構成要素及びステップは同一または相当するものであり、再度の説明を省略することがある。
【００２５】
（実施の形態１）
本発明の実施の形態１による電子ペン認証装置を含む電子ペン認証システムについて、図面を参照しながら説明する。
【００２６】
図１は、本実施の形態による電子ペン認証システムの構成を示す図である。本実施の形態による電子ペン認証システムは、電子ペン１と、情報処理装置２と、電子ペン認証装置３とを備える。電子ペン１と、情報処理装置２とは、有線または無線の通信回線で接続されているものとする。この通信は、例えば、赤外線通信や、Ｂｌｕｅｔｏｏｔｈ（登録商標）などの近距離無線通信であってもよい。また、情報処理装置２と、電子ペン認証装置３とは、有線または無線の通信回線５００で接続されている。通信回線５００は、例えば、インターネットやイントラネット、公衆電話回線網等である。
【００２７】
電子ペン１は、ペンで紙などの媒体４に記載した文字や図形等をデジタル化するものである。例えば、ペン自体が文字等をデジタル化する技術を有してもよく、あるいは、タッチパネルやペンタブレットのように、ペン以外の方に文字等をデジタル化する技術が存在してもよい。前者の場合の例としては、アノト社の開発した電子ペンがある。これは、媒体４に特殊ドットパターンが印刷されており、その特殊ドットパターンを用いて電子ペン１が座標値を検出することによって、文字等をデジタル化するものである。一方、後者の場合の例としては、前述のペンタブレットや、電子ペン１が発生した超音波を、媒体４に固定した受信機で受信し、その超音波の伝搬する時間から電子ペン１の位置を取得するものなどがある。このように、電子ペン１は、手書きの筆跡をデジタル化できるものであればその手法を問わない。したがって、情報処理装置２が受信する手書きの筆跡に関する情報等は、電子ペン１から直接、情報処理装置２に入力されてもよく、あるいは、タブレットや、受信機等から情報処理装置２に入力されてもよい。本実施の形態では、アノト方式の電子ペン１であり、電子ペン１から直接、手書きの筆跡に関する情報等が情報処理装置２に送信される場合について説明する。
【００２８】
なお、電子ペン１が有する筆記具の種類は問わない。その筆記具は、例えば、水性や油性のボールペンであってもよく、鉛筆であってもよく、シャープペンシルであってもよく、万年筆であってもよく、サインペンであってもよく、その他の筆記具であってもよい。また、媒体４は、例えば、テストの解答用紙であってもよく、選挙の投票用紙であってもよく、アンケートの回答用紙であってもよく、ビジネスで用いられる報告書（例えば、日報や月報など）であってもよく、その他の用途で用いられるものであってもよい。
【００２９】
図２は、本実施の形態による電子ペン１の構成を示すブロック図である。図２において、本実施の形態による電子ペン１は、電子ペン識別情報記憶部１１と、座標情報取得部１２と、圧力情報取得部１３と、記載情報構成部１４と、送信部１５と、受信部１６と、出力部１７とを備える。なお、この電子ペン１の構成は一例であって、ペンタブレット形式の電子ペン１などの場合には、図２と異なる構成であってもよい。
【００３０】
電子ペン識別情報記憶部１１では、電子ペンを識別する情報である電子ペン識別情報が記憶される。電子ペン識別情報は、例えば、電子ペン１の製造番号や、電子ペン１の通信で用いられるアドレス等の情報であってもよく、その他の情報であってもよい。電子ペン識別情報記憶部１１に電子ペン識別情報が記憶される過程は問わない。例えば、電子ペン１の製造時に、あらかじめ電子ペン識別情報の記憶された記録媒体が電子ペン１に組み込まれてもよく、あるいは、電子ペン１の製造後に、通信回線等を介して送信された電子ペン識別情報や、入力デバイスを介して入力された電子ペン識別情報が電子ペン識別情報記憶部１１で記憶されるようになってもよい。電子ペン識別情報記憶部１１での記憶は、ＲＡＭ等における一時的な記憶でもよく、あるいは、長期的な記憶でもよい。電子ペン識別情報記憶部１１は、所定の記録媒体（例えば、半導体メモリや磁気ディスク、光ディスクなど）によって実現されうる。
【００３１】
座標情報取得部１２は、媒体４の表面における座標を示す情報である座標情報を取得する。座標情報取得部１２は、例えば、特殊ドットパターンが印刷されている媒体から、特殊ドットパターンによる座標検出技術を用いて座標情報を取得してもよい。具体的には、座標情報取得部１２は、ＣＣＤカメラと、パターン認識及び解析を行うプロセッサとで構成されてもよい。そして、媒体４に印刷されている０．３ｍｍピッチのグリッドに沿ってドットを示す特殊ドットパターンを１秒あたり６０フレームで撮影する。プロセッサは、その撮影画像をパターン認識することによって、Ｒｉｇｈｔ，Ｌｅｆｔ，Ｕｐ，Ｄｏｗｎの４パターンに振り分ける。そして、プロセッサは、その認識されたパターンを解析することによって、ＣＣＤカメラの移動、すなわち、撮影されたパターンの変化を検出し、座標値を取得することができる。なお、座標情報取得部１２は、これ以外の方法によって座標情報を取得してもよい。例えば、媒体４に印刷されているバーコードを読み取り、そのバーコードを用いて座標情報を取得してもよい。この場合には、座標情報取得部１２は、例えば、バーコードを読み取るバーコードリーダ等によって構成される。
【００３２】
圧力情報取得部１３は、電子ペン１の有する筆記具の媒体４に対する圧力を示す情報である圧力情報を取得する。圧力情報取得部１３は、例えば、静電容量の変化や、歪みを検出する圧力センサ等によって実現されうる。
【００３３】
記載情報構成部１４は、電子ペン１を用いて媒体４に記載された際のその記載に関する情報である記載情報を構成する。この記載情報は、例えば、座標情報と圧力情報とを有する情報であってもよく、その情報から得られた、記載に関する特徴データであってもよい。特徴データとは、記載に関する特徴を示す情報であり、例えば、筆跡や、文字の画数、筆圧、記載時間、書き順等を示す情報であってもよい。記載情報が特徴データである場合には、座標情報や圧力情報から筆跡等の情報を取得する図示しない情報取得部を電子ペン１が有してもよい。本実施の形態では、記載情報構成部１４が構成する記載情報は、座標情報と圧力情報とを有する情報であるとする。その記載情報のデータ構造等は問わない。
【００３４】
送信部１５は、記載情報構成部１４が構成した記載情報と、電子ペン識別情報記憶部１１で記憶されている電子ペン識別情報とを情報処理装置２に送信する。両者の送信のタイミングは問わない。両者が一緒に送信されてもよく、あるいは、別のタイミングで送信されてもよい。なお、送信部１５は、送信を行うための送信デバイス（例えば、モデムやネットワークカードなど）を含んでもよく、あるいは含まなくてもよい。また、送信部１５は、ハードウェアによって実現されてもよく、あるいは送信デバイスを駆動するドライバ等のソフトウェアによって実現されてもよい。本実施の形態では、送信部１５が、Ｂｌｕｅｔｏｏｔｈ（登録商標）を用いて情報を送信する場合について説明する。
【００３５】
受信部１６は、情報処理装置２から送信された情報を受信する。その情報は、例えば、後述する交換要求情報であってもよく、その他の情報であってもよい。なお、受信部１６は、受信を行うための有線または無線の受信デバイス（例えば、モデムやネットワークカードなど）を含んでもよく、あるいは含まなくてもよい。また、受信部１６は、ハードウェアによって実現されてもよく、あるいは受信デバイスを駆動するドライバ等のソフトウェアによって実現されてもよい。本実施の形態では、受信部１６が、Ｂｌｕｅｔｏｏｔｈ（登録商標）を用いて情報を受信する場合について説明する。
【００３６】
出力部１７は、受信部１６が受信した情報を出力する。例えば、受信部１６が後述する交換要求情報を受信した場合に、その情報を出力してもよい。ここで、この出力は、例えば、表示デバイス（例えば、ＣＲＴや液晶ディスプレイなど）への表示でもよく、所定の機器への通信回線を介した送信でもよく、スピーカによる音声出力でもよく、記録媒体への蓄積でもよく、他の構成要素への引き渡しでもよい。なお、出力部１７は、出力を行うデバイス（例えば、表示デバイスやスピーカなど）を含んでもよく、あるいは含まなくてもよい。また、出力部１７は、ハードウェアによって実現されてもよく、あるいは、それらのデバイスを駆動するドライバ等のソフトウェアによって実現されてもよい。
【００３７】
図３は、本実施の形態による情報処理装置２の構成を示すブロック図である。図３において、本実施の形態による情報処理装置２は、ユーザ識別情報受付部２１と、電子ペン識別情報受信部２２と、記載情報受信部２３と、送信部２４と、受信部２５と、表示部２６と、送信部２７とを備える。
【００３８】
ユーザ識別情報受付部２１は、ユーザを識別する情報であるユーザ識別情報を受け付ける。なお、ユーザ識別情報受付部２１は、ユーザ識別情報とパスワードとを受け付けるものであってもよい。本実施の形態では、パスワードも受け付けられる場合について説明する。
【００３９】
ユーザ識別情報受付部２１は、例えば、入力デバイス（例えば、キーボードやマウス、タッチパネルなど）から入力された情報を受け付けてもよく、有線もしくは無線の通信回線を介して送信された情報を受信してもよく、所定の記録媒体（例えば、光ディスクや磁気ディスク、半導体メモリなど）から読み出された情報を受け付けてもよい。本実施の形態では、ユーザ識別情報受付部２１は、入力デバイスから入力されたユーザ識別情報を受け付けるものとする。なお、ユーザ識別情報受付部２１は、受け付けを行うためのデバイス（例えば、モデムやネットワークカードなど）を含んでもよく、あるいは含まなくてもよい。また、ユーザ識別情報受付部２１は、ハードウェアによって実現されてもよく、あるいは所定のデバイスを駆動するドライバ等のソフトウェアによって実現されてもよい。
【００４０】
電子ペン識別情報受信部２２は、ユーザ識別情報受付部２１が受け付けたユーザ識別情報で識別されるユーザが使用している電子ペン１を識別する情報である電子ペン識別情報を受信する。本実施の形態では、電子ペン識別情報受信部２２が、Ｂｌｕｅｔｏｏｔｈ（登録商標）を用いて電子ペン１から送信された電子ペン識別情報を受信する場合について説明する。
【００４１】
なお、電子ペン識別情報受信部２２は、受信を行うための有線または無線の受信デバイス（例えば、モデムやネットワークカードなど）を含んでもよく、あるいは含まなくてもよい。また、電子ペン識別情報受信部２２は、ハードウェアによって実現されてもよく、あるいは受信デバイスを駆動するドライバ等のソフトウェアによって実現されてもよい。
【００４２】
記載情報受信部２３は、ユーザが電子ペン１を使用した記載に関する情報である記載情報を受信する。本実施の形態では、記載情報受信部２３は、Ｂｌｕｅｔｏｏｔｈ（登録商標）を用いて電子ペン１から送信された記載情報を受信する場合について説明する。
【００４３】
なお、記載情報受信部２３は、受信を行うための有線または無線の受信デバイス（例えば、モデムやネットワークカードなど）を含んでもよく、あるいは含まなくてもよい。また、記載情報受信部２３は、ハードウェアによって実現されてもよく、あるいは受信デバイスを駆動するドライバ等のソフトウェアによって実現されてもよい。
【００４４】
ここで、ユーザ識別情報受付部２１が受け付けたユーザ識別情報と、電子ペン識別情報受信部２２が受信した電子ペン識別情報とが対応するものであること、すなわち、ユーザ識別情報受付部２１が受け付けたユーザ識別情報で識別されるユーザが使用している電子ペン１を識別する電子ペン識別情報が、電子ペン識別情報受信部２２が受信したものであることを見分ける方法について簡単に説明する。例えば、あらかじめ決められた一定時間以内に、ユーザ識別情報受付部２１がユーザ識別情報を受け付け、電子ペン識別情報受信部２２が電子ペン識別情報を受信した場合に、両者が対応するものであると判断してもよい。また、電子ペン識別情報受信部２２が電子ペン識別情報を受信したことに応じて、ユーザ識別情報の入力画面を出力し、その入力画面の出力に応じてユーザ識別情報が入力され、ユーザ識別情報受付部２１で受け付けられた場合に、それらの電子ペン識別情報とユーザ識別情報とが対応するものであると判断してもよい。また、ユーザ識別情報受付部２１が受け付けたユーザ識別情報と、記載情報受信部２３が受信した記載情報についても同様であるとする。また、後述する電子ペン認証装置３におけるユーザ識別情報受付部３１が受け付けたユーザ識別情報と、電子ペン識別情報受信部３２が受信した電子ペン識別情報とについても同様であるとする。また、後述する電子ペン認証装置３におけるユーザ識別情報受付部３１が受け付けたユーザ識別情報と、記載情報受信部３３が受信した記載情報についても同様であるとする。なお、電子ペン認証装置３での受信や受け付けの場合には、２以上の情報を同時に受信したり、受け付けたりしたことによって、その２以上の情報が対応するものであると判断してもよい。例えば、同一パケットに２以上の情報（例えば、ユーザ識別情報と電子ペン識別情報など）が含まれていた場合などには、その２以上の情報が対応するものであると判断してもよい。
【００４５】
送信部２４は、ユーザ識別情報受付部２１が受け付けたユーザ識別情報やパスワード、電子ペン識別情報受信部２２が受信した電子ペン識別情報、記載情報受信部２３が受信した記載情報を電子ペン認証装置３に送信する。送信部２４は、あらかじめ図示しない記録媒体において電子ペン認証装置３のアドレス等を保持していてもよく、あるいは、ユーザ識別情報等の送信時に、他の構成要素から電子ペン認証装置３のアドレス等を受け取ってもよい。また、送信部２４が、ユーザ識別情報等の情報を送信するタイミングは問わない。送信部２４は、それらの情報を一緒に送信してもよく、あるいは、別々のタイミングで送信してもよい。
【００４６】
なお、送信部２４は、送信を行うための送信デバイス（例えば、モデムやネットワークカードなど）を含んでもよく、あるいは含まなくてもよい。また、送信部２４は、ハードウェアによって実現されてもよく、あるいは送信デバイスを駆動するドライバ等のソフトウェアによって実現されてもよい。
【００４７】
受信部２５は、電子ペン認証装置３から送信された情報を受信する。その情報は、例えば、後述するテスト問題情報や交換要求情報であってもよい。なお、受信部２５は、受信を行うための有線または無線の受信デバイス（例えば、モデムやネットワークカードなど）を含んでもよく、あるいは含まなくてもよい。また、受信部２５は、ハードウェアによって実現されてもよく、あるいは受信デバイスを駆動するドライバ等のソフトウェアによって実現されてもよい。
【００４８】
表示部２６は、受信部２５が受信した情報を表示する。表示部２６が表示する情報は、例えば、後述するテスト問題情報であってもよい。なお、表示部２６は、それらの表示を行う表示デバイス（例えば、ＣＲＴや液晶ディスプレイなど）を含んでもよく、あるいは含まなくてもよい。また、表示部２６は、ハードウェアによって実現されてもよく、あるいは表示デバイスを駆動するドライバ等のソフトウェアによって実現されてもよい。
【００４９】
送信部２７は、受信部２５が受信した情報を電子ペン１に送信する。送信部２７が送信する情報は、例えば、後述する交換要求情報であってもよい。なお、送信部２７は、送信を行うための送信デバイス（例えば、モデムやネットワークカードなど）を含んでもよく、あるいは含まなくてもよい。また、送信部２７は、ハードウェアによって実現されてもよく、あるいは送信デバイスを駆動するドライバ等のソフトウェアによって実現されてもよい。本実施の形態では、送信部２７が、Ｂｌｕｅｔｏｏｔｈ（登録商標）を用いて情報を電子ペン１に送信する場合について説明する。
【００５０】
図４は、本実施の形態による電子ペン認証装置３の構成を示すブロック図である。図４において、本実施の形態による電子ペン認証装置３は、ユーザ識別情報受付部３１と、電子ペン識別情報受信部３２と、記載情報受信部３３と、情報取得部３４と、対応情報記憶部３５と、認証部３６と、認証結果情報出力部３７と、認証結果対応情報記憶部３８と、テスト問題情報記憶部３９と、実行部４０とを備える。
【００５１】
ユーザ識別情報受付部３１は、ユーザを識別する情報であるユーザ識別情報を受け付ける。なお、ユーザ識別情報受付部３１は、ユーザ識別情報とパスワードとを受け付けるものであってもよい。本実施の形態では、パスワードも受け付けられる場合について説明する。
【００５２】
ユーザ識別情報受付部３１は、例えば、入力デバイス（例えば、キーボードやマウス、タッチパネルなど）から入力された情報を受け付けてもよく、有線もしくは無線の通信回線を介して送信された情報を受信してもよく、所定の記録媒体（例えば、光ディスクや磁気ディスク、半導体メモリなど）から読み出された情報を受け付けてもよい。本実施の形態では、ユーザ識別情報受付部３１は、情報処理装置２から送信されたユーザ識別情報等を受信するものとする。なお、ユーザ識別情報受付部３１は、受け付けを行うためのデバイス（例えば、モデムやネットワークカードなど）を含んでもよく、あるいは含まなくてもよい。また、ユーザ識別情報受付部３１は、ハードウェアによって実現されてもよく、あるいは所定のデバイスを駆動するドライバ等のソフトウェアによって実現されてもよい。
【００５３】
電子ペン識別情報受信部３２は、ユーザ識別情報受付部３１が受け付けたユーザ識別情報で識別されるユーザが使用している電子ペン１を識別する情報である電子ペン識別情報を受信する。本実施の形態では、電子ペン識別情報受信部３２が、情報処理装置２から送信された電子ペン識別情報を受信する場合について説明する。
【００５４】
なお、電子ペン識別情報受信部３２は、受信を行うための有線または無線の受信デバイス（例えば、モデムやネットワークカードなど）を含んでもよく、あるいは含まなくてもよい。また、電子ペン識別情報受信部３２は、ハードウェアによって実現されてもよく、あるいは受信デバイスを駆動するドライバ等のソフトウェアによって実現されてもよい。
【００５５】
記載情報受信部３３は、ユーザが電子ペン１を使用して名前を記載した際のその記載に関する情報である記載情報を受信する。なお、「名前」は、例えば、姓のみであってもよく、名のみであってもよく、姓名（氏名）であってもよい。また、「名前」は、個人を特定できる情報であればよく、例えば、受験番号等のように個人を識別するために用いられる情報であってもよい。また、記載情報受信部３３は、名前の記載以外の場合における記載情報をも受信してもよい。本実施の形態では、記載情報受信部３３が、情報処理装置２から送信された記載情報を受信する場合について説明する。この記載情報は、前述のように、電子ペン１による記載対象の座標値を少なくとも示す情報であってもよく、あるいは、その情報から得られた、画数、筆跡、筆圧、記載時間、書き順のうちの１以上のものを示す情報であってもよい。前者の場合には、前述のように、記載情報は座標情報と圧力情報とを有するものであってもよい。さらに、記載情報は、座標情報によって示される位置への記載がなされた時間を示す時間情報をも含んでいてもよい。この時間情報は、電子ペン１によって構成されたものであってもよく、あるいは、電子ペン１から送信された座標情報等を受信した装置において付加されたものであってもよい。本実施の形態では、記載情報が、座標情報と圧力情報とを含むものである場合について説明する。記載情報が電子ペン１による記載対象の座標値を少なくとも示す情報である場合に、その記載情報は、電子ペン１から順次、リアルタイムで入力されてくるものであってもよく（この場合でも、情報処理装置２経由で入力されてもよい）、あるいは、一時的に情報処理装置２等で蓄積されて、まとめて入力されてくるものであってもよい。なお、記載情報が画数等を示す情報である場合に、座標情報等から画数等を示す情報への変換は、どこでなされてもよい。例えば、電子ペン１においてなされてもよく、情報処理装置２においてなされてもよく、その他の装置においてなされてもよい。
【００５６】
なお、記載情報受信部３３は、受信を行うための有線または無線の受信デバイス（例えば、モデムやネットワークカードなど）を含んでもよく、あるいは含まなくてもよい。また、記載情報受信部３３は、ハードウェアによって実現されてもよく、あるいは受信デバイスを駆動するドライバ等のソフトウェアによって実現されてもよい。
【００５７】
情報取得部３４は、電子ペン１による記載対象の座標値を少なくとも示す情報である記載情報から、画数、筆跡、筆圧、記載時間、書き順のうちの１以上のものを示す情報を取得する。なお、情報処理部３４は、その取得した画数等を示す情報を図示しない記録媒体において一時的に記憶してもよい。電子ペン１による記載に関する記載情報から、文字認識等を行う技術がすでに知られており、その技術を応用することによって、情報処理部３４は、画数等を取得することができる。
【００５８】
例えば、情報取得部３４は、記載情報と、文字認識後の文字とを比較することによって、記載情報における文字の切れ目を認識することができる。そして、情報取得部３４は、その文字の切れ目から次の文字の切れ目までの記載情報において、連続して記載された箇所（例えば、漢字の一画など）の数をカウントすることによって、文字ごとの画数を示す情報を取得することができる。なお、情報取得部３４が、文字ごとの画数を取得するのではなく、複数の文字の全体の画数を取得する場合には、文字認識後の文字との比較を行わなくてもよい。
【００５９】
また、情報取得部３４は、記載情報の示す座標値をつなげることによって、筆跡を示す情報を取得することができる。この筆跡を取得する方法は、すでに知られているものである。また、情報取得部３４は、記載情報に含まれる圧力情報を用いることによって、筆圧を示す情報を得ることができる。この筆圧を示す情報は、例えば、文字の一画ごとの圧力を示す情報であってもよく、時系列に沿った圧力を示す情報であってもよく、文字ごとあるいは複数の文字にわたった圧力の平均値であってもよい。
【００６０】
また、情報取得部３４は、複数の文字に関する記載の終了時間から開始時間を引くことにより、その複数の文字の記載時間を得ることができる。例えば、記載情報に含まれる各座標情報に時間を示す情報が対応付けられている場合には、その時間を示す情報を用いて開始時間、終了時間を得ることができる。その時間を示す情報は、電子ペン１において付加されたものであってもよく、情報処理装置２において付加されたものであってもよく、電子ペン認証装置３において付加されたものであってもよい。
【００６１】
また、情報取得部３４は、文字ごとの一画の記載順序を取得することによって、書き順を示す情報を取得することができる。例えば、あらかじめ図示しない記録媒体において文字と、その文字を構成する一画ごとの画像とが対応付けられており、情報取得部３４は、記載情報を用いた文字認識後に、記載情報の示す文字の一画ごとの図形を、文字認識された文字に対応する、図示しない記録媒体で記憶されている一画ごとの画像と比較することによって、記載情報の示す一画ごとの図形が、どの一画の画像に該当するのかを決定し、その決定後の一画ごとの画像を識別する情報の並びを取得することによって、書き順を示す情報を取得してもよい。
【００６２】
なお、ここで説明した方法は一例であって、その他の方法によって画数等を示す情報を取得することができるのであれば、情報取得部３４は、その他の方法によって画数等を示す情報を取得してもよいことは言うまでもない。
【００６３】
また、本実施の形態では、電子ペン認証装置３が情報取得部３４を備える場合について説明するが、記載情報受信部３３の受信する記載情報が、電子ペン１による記載対象の座標値を少なくとも示す情報から得られた、画数、筆跡、筆圧、記載時間、書き順のうちの１以上のものを示す情報である場合には、電子ペン認証装置３は、情報取得部３４を備えていなくてもよい。
【００６４】
対応情報記憶部３５では、対応情報が記憶される。対応情報は、ユーザ識別情報と、そのユーザ識別情報で識別されるユーザの電子ペン１を識別する電子ペン識別情報とを少なくとも対応付ける情報である。また、対応情報は、ユーザ識別情報と、そのユーザ識別情報に対応するパスワードとをも対応付ける情報であってもよい。また、対応情報は、ユーザ識別情報と、そのユーザ識別情報で識別されるユーザが過去に電子ペンを使用して名前を記載した際のその記載に関する情報である過去記載情報とをも対応付ける情報であってもよい。ここで、過去記載情報は、過去の記載情報であり、例えば、座標値を少なくとも示す情報であってもよく、あるいは、画数、筆跡、筆圧、記載時間、書き順のうちの１以上のものを示す情報であってもよい。
【００６５】
ここで、例えば、「ユーザ識別情報と、電子ペン識別情報とを対応付ける」とは、ユーザ識別情報と電子ペン識別情報の一方の情報から、他方の情報を取得できればよいという意味である。したがって、対応情報がユーザ識別情報と、電子ペン識別情報とを対応付ける場合に、対応情報は、ユーザ識別情報と電子ペン識別情報とを組として含む情報を有してもよく、ユーザ識別情報と電子ペン識別情報とをリンク付ける情報であってもよい。後者の場合には、対応情報は、例えば、ユーザ識別情報と電子ペン識別情報の格納されている位置を示すポインタやアドレスとを対応付ける情報であってもよい。本実施の形態では、前者の場合について説明する。また、この場合に、ユーザ識別情報と電子ペン識別情報とは、直接対応付けられていなくてもよい。例えば、ユーザ識別情報に、第３の情報が対応しており、その第３の情報に電子ペン識別情報が対応していてもよい。対応情報における他の組合せについても同様であるとする。また、後述する認証結果対応情報においても同様であるとする。
【００６６】
対応情報記憶部３５に対応情報が記憶される過程は問わない。例えば、記録媒体を介して対応情報が対応情報記憶部３５で記憶されるようになってもよく、通信回線等を介して送信された対応情報が対応情報記憶部３５で記憶されるようになってもよく、あるいは、入力デバイスを介して入力された対応情報が対応情報記憶部３５で記憶されるようになってもよい。対応情報記憶部３５での記憶は、ＲＡＭ等における一時的な記憶でもよく、あるいは、長期的な記憶でもよい。対応情報記憶部３５は、所定の記録媒体（例えば、半導体メモリや磁気ディスク、光ディスクなど）によって実現されうる。
【００６７】
認証部３６は、対応情報記憶部３５で記憶されている対応情報を用いて、ユーザ識別情報受付部２１が受け付けたユーザ識別情報を用いた認証と、電子ペン識別情報受信部２２が受信した電子ペン識別情報を用いた認証と、記載情報受信部２３が受信した記載情報を用いた認証とを行う。認証部３６は、ユーザ識別情報、電子ペン識別情報、記載情報のそれぞれについて、正当であるか、あるいは正当でないかの認証の判断を行うものとする。なお、記載情報の場合には、さらに詳細に、画数や、筆跡、筆圧、記載時間、書き順等の記載に関する特徴データごとに認証を行ってもよく、記載情報の全体として認証を行ってもよい。本実施の形態では、後者の場合について説明する。
【００６８】
対応情報が、ユーザ識別情報とパスワードとをも対応付ける情報である場合に、認証部３６は、ユーザ識別情報受付部２１が受け付けたユーザ識別情報と、パスワードとが対応情報において対応付けられている際に、ユーザ識別情報に関する認証において正当であると認証し、ユーザ識別情報受付部２１が受け付けたユーザ識別情報と、電子ペン識別情報受信部２２が受信した電子ペン識別情報とが対応情報において対応付けられている際に、電子ペン識別情報に関する認証において正当であると認証してもよい。
【００６９】
また、対応情報が、ユーザ識別情報と過去記載情報とをも対応付ける情報である場合に、認証部３６は、ユーザ識別情報受付部２１が受け付けたユーザ識別情報と、記載情報受信部２３が受信した記載情報に一致する過去記載情報とが対応情報において対応付けられている際に、記載情報に関する認証において正当であると認証してもよい。ここで、記載情報と、過去記載情報とが一致するとは、両者が厳密な意味で一致する場合であってもよく、両者の類似度が高い場合であってもよい。両者の類似度が高いとは、例えば、両者の類似度があらかじめ決められたしきい値以上であることであってもよく、あるいは、両者の類似度が、その記載情報と、他の過去記載情報との類似度よりも高いことであってもよい。認証部３６は、情報取得部３４が取得した情報を用いて記載情報に関する認証を行ってもよい。
【００７０】
ここで、認証部３６による認証の手順について簡単に説明する。認証部３６は、ユーザ識別情報、電子ペン識別情報、名前に関する記載情報のうちのいずれを基準としてそれぞれの認証を行ってもよい。なお、以下の説明における認証方法は一例であって、それ以外の方法で認証を行ってもよいことは言うまでもない。
【００７１】
［ユーザ識別情報を基準として認証を行う場合］
認証部３６は、まず、ユーザ識別情報を用いた認証を行う。パスワードの入力がない場合には、認証部３６は、受け付けられたユーザ識別情報が対応情報に含まれる場合に、ユーザ識別情報に関する認証が正当であるとする。一方、パスワードも受け付けられた場合には、認証部３６は、受け付けられたユーザ識別情報とパスワードとの組合せが対応情報に存在する場合に、ユーザ識別情報に関する認証が正当であるとする。
【００７２】
次に、認証部３６は、正当であると認証されたユーザ識別情報と、受信された電子ペン識別情報との組合せが対応情報に存在する場合に、電子ペン識別情報に関する認証が正当であるとする。
【００７３】
また、認証部３６は、正当であると認証されたユーザ識別情報と、受信された名前の記載情報と一致する過去記載情報との組合せが対応情報に存在する場合に、記載情報に関する認証が正当であるとする。
【００７４】
［電子ペン識別情報を基準として認証を行う場合］
認証部３６は、まず、電子ペン識別情報を用いた認証を行う。認証部３６は、受信された電子ペン識別情報が対応情報に存在する場合に、電子ペン識別情報に関する認証が正当であるとする。
【００７５】
次に、認証部３６は、正当であると認証された電子ペン識別情報と、受け付けられたユーザ識別情報との組合せが対応情報に存在する場合に、ユーザ識別情報に関する認証が正当であるとする。なお、パスワードも受け付けられた場合には、認証部３６は、正当であると認証された電子ペン識別情報と、受け付けられたユーザ識別情報と、パスワードとの組合せが対応情報に存在するときに、ユーザ識別情報に関する認証が正当であるとする。
【００７６】
また、認証部３６は、正当であると認証された電子ペン識別情報と、受信された名前の記載情報と一致する過去記載情報との組合せが対応情報に存在する場合に、記載情報に関する認証が正当であるとする。
【００７７】
［記載情報を基準として認証を行う場合］
認証部３６は、まず、名前の記載情報を用いた認証を行う。認証部３６は、受信された名前の記載情報と一致する過去記載情報が対応情報に存在する場合に、記載情報に関する認証が正当であるとする。
【００７８】
次に、認証部３６は、正当であると認証された記載情報と一致する過去記載情報と、受け付けられたユーザ識別情報との組合せが対応情報に存在する場合に、ユーザ識別情報に関する認証が正当であるとする。なお、パスワードも受け付けられた場合には、認証部３６は、正当であると認証された記載情報と一致する過去記載情報と、受け付けられたユーザ識別情報と、パスワードとの組合せが対応情報に存在するときに、ユーザ識別情報に関する認証が正当であるとする。
【００７９】
また、認証部３６は、正当であると認証された記載情報と一致する過去記載情報と、受信された電子ペン識別情報との組合せが対応情報に存在する場合に、電子ペン識別情報に関する認証が正当であるとする。
【００８０】
認証結果情報出力部３７は、認証部３６による認証の結果を示す情報である認証結果情報を出力する。この認証結果情報は、ユーザ識別情報、電子ペン識別情報、記載情報のそれぞれの認証結果を示す情報であってもよく、あるいは、その複数の認証結果が統合された最終的な認証結果であってもよい。その複数の認証結果が統合された最終的な認証結果は、「正当」「正当でない」の２段階であってもよく、あるいは、３段階以上であってもよい。後者の場合には、細かい認証を行うことができうる。３段階以上の認証結果情報は、例えば、「正当」「やや正当」「どちらでもない」「やや正当でない」「正当でない」というように、中間的な（あいまいな）認証結果をも示しうるものであってもよい。
【００８１】
ここで、この出力は、例えば、表示デバイス（例えば、ＣＲＴや液晶ディスプレイなど）への表示でもよく、所定の機器への通信回線を介した送信でもよく、プリンタによる印刷でもよく、スピーカによる音声出力でもよく、記録媒体への蓄積でもよく、他の構成要素への引き渡しでもよい。なお、認証結果情報出力部３７は、出力を行うデバイス（例えば、表示デバイスやプリンタなど）を含んでもよく、あるいは含まなくてもよい。また、認証結果情報出力部３７は、ハードウェアによって実現されてもよく、あるいは、それらのデバイスを駆動するドライバ等のソフトウェアによって実現されてもよい。
【００８２】
認証結果対応情報記憶部３８では、ユーザ識別情報に関する認証結果を示す情報と、電子ペン識別情報に関する認証結果を示す情報と、記載情報に関する認証結果を示す情報と、認証結果に応じて実行する処理を示す情報である処理情報とを対応付ける認証結果対応情報が記憶される。
【００８３】
認証結果対応情報記憶部３８では、例えば、ユーザ識別情報に関する認証結果が正当であることを示す情報と、電子ペン識別情報に関する認証結果が正当でないことを示す情報と、記載情報に関する認証結果が正当であることを示す情報と、電子ペンの交換を要求する情報である交換要求情報を出力する処理を示す処理情報とを対応付ける認証結果対応情報が少なくとも記憶されてもよい。
【００８４】
また、認証結果対応情報記憶部３８では、ユーザ識別情報に関する認証結果が正当であることを示す情報と、電子ペン識別情報に関する認証結果が正当であることを示す情報と、記載情報に関する認証結果が正当であることを示す情報と、テスト問題情報を出力する処理を示す処理情報とを対応付ける認証結果対応情報が少なくとも記憶されてもよい。
【００８５】
認証結果対応情報記憶部３８に認証結果対応情報が記憶される過程は問わない。例えば、記録媒体を介して認証結果対応情報が認証結果対応情報記憶部３８で記憶されるようになってもよく、通信回線等を介して送信された認証結果対応情報が認証結果対応情報記憶部３８で記憶されるようになってもよく、あるいは、入力デバイスを介して入力された認証結果対応情報が認証結果対応情報記憶部３８で記憶されるようになってもよい。認証結果対応情報記憶部３８での記憶は、ＲＡＭ等における一時的な記憶でもよく、あるいは、長期的な記憶でもよい。認証結果対応情報記憶部３８は、所定の記録媒体（例えば、半導体メモリや磁気ディスク、光ディスクなど）によって実現されうる。
【００８６】
テスト問題情報記憶部３９では、テスト問題を示す情報であるテスト問題情報が記憶される。テスト問題情報記憶部３９にテスト問題情報が記憶される過程は問わない。例えば、記録媒体を介してテスト問題情報がテスト問題情報記憶部３９で記憶されるようになってもよく、通信回線等を介して送信されたテスト問題情報がテスト問題情報記憶部３９で記憶されるようになってもよく、あるいは、入力デバイスを介して入力されたテスト問題情報がテスト問題情報記憶部３９で記憶されるようになってもよい。テスト問題情報記憶部３９での記憶は、ＲＡＭ等における一時的な記憶でもよく、あるいは、長期的な記憶でもよい。テスト問題情報記憶部３９は、所定の記録媒体（例えば、半導体メモリや磁気ディスク、光ディスクなど）によって実現されうる。
【００８７】
実行部４０は、認証結果対応情報において、認証部３６によるユーザ識別情報に関する認証結果と、電子ペン識別情報に関する認証結果と、記載情報に関する認証結果とに対応する処理情報を特定し、その特定した処理情報の示す処理を実行する。例えば、その処理情報が電子ペン１の交換を要求する情報である交換要求情報を出力する処理を示す情報である場合に、実行部４０は、正当でないと認証された電子ペン識別情報で識別される電子ペン１に交換要求情報を送信してもよい。この送信は、直接的な送信であってもよく、あるいは、情報処理装置２を介した送信であってもよい。本実施の形態では、後者の場合について説明する。なお、実行部４０は、情報の表示や、情報の送信、情報の音声出力等を行いうるものであるため、実行部４０は、複数の構成要素（例えば、表示部や送信部、音声出力部等）から構成されるものであってもよい。
【００８８】
なお、対応情報記憶部３５と、認証結果対応情報記憶部３８と、テスト問題情報記憶部３９との任意の２以上の記憶部は、同一の記録媒体によって実現されてもよく、あるいは、別々の記録媒体によって実現されてもよい。前者の場合には、例えば、対応情報を記憶している領域が対応情報記憶部３５となり、認証結果対応情報を記憶している領域が認証結果対応情報記憶部３８となる。
【００８９】
次に、本実施の形態による電子ペン１の動作について、簡単に説明する。
電子ペン１の送信部１５は、電子ペン１が起動されたタイミングで、電子ペン識別情報記憶部１１から電子ペン識別情報を読み出して、情報処理装置２に送信するものとする。また、電子ペン１による筆記が行われると、座標情報や圧力情報を取得し、それらを用いて記載情報を構成して、情報処理装置２に送信する。また、情報処理装置２から情報を受信すると、その情報を出力する。なお、これは一例であって、電子ペン１は、他の動作を行うものであってもよい。また、前述のように、電子ペン１以外から座標情報や圧力情報が情報処理装置２に入力されてもよい。
【００９０】
次に、本実施の形態による情報処理装置２の動作について、図５のフローチャートを用いて説明する。
（ステップＳ１０１）電子ペン識別情報受信部２２は、電子ペン識別情報を受信したかどうか判断する。そして、受信した場合には、ステップＳ１０２に進み、そうでない場合には、受信するまでステップＳ１０１の処理を繰り返す。なお、受信された電子ペン識別情報は、図示しない記録媒体において一時的に記憶されてもよい。
【００９１】
（ステップＳ１０２）ユーザ識別情報受付部２１は、ユーザ識別情報やパスワードを受け付けたかどうか判断する。そして、受け付けた場合には、ステップＳ１０３に進み、そうでない場合には、受け付けるまでステップＳ１０２の処理を繰り返す。なお、あらかじめ決められた時間が経過してもユーザ識別情報等を受け付けない場合には、タイムアウトであるとしてステップＳ１０１に戻ってもよい。また、受け付けられたユーザ識別情報等は、図示しない記録媒体において一時的に記憶されてもよい。
【００９２】
（ステップＳ１０３）記載情報受信部２３は、名前の記載情報を受信したかどうか判断する。そして、受信した場合には、ステップＳ１０４に進み、そうでない場合には、受信するまでステップＳ１０３の処理を繰り返す。なお、あらかじめ決められた時間が経過しても記載情報を受信しない場合には、タイムアウトであるとしてステップＳ１０１に戻ってもよい。また、受信した名前の記載情報は、図示しない記録媒体において一時的に記憶されてもよい。
【００９３】
（ステップＳ１０４）送信部２４は、電子ペン識別情報と、ユーザ識別情報と、パスワードと、名前の記載情報とを電子ペン認証装置３に送信する。なお、送信部２４は、これらの情報をまとめて送信してもよく、あるいは、別々に送信してもよい。本実施の形態では、後者の場合について説明する。
【００９４】
（ステップＳ１０５）受信部２５は、テスト問題情報を受信したかどうか判断する。そして、受信した場合には、ステップＳ１０６に進み、そうでない場合には、ステップＳ１０７に進む。
【００９５】
（ステップＳ１０６）表示部２６は、受信部２５が受信したテスト問題情報をモニタに表示する。そして、ステップＳ１０５に戻る。
【００９６】
（ステップＳ１０７）受信部２５は、交換要求情報を受信したかどうか判断する。そして、受信した場合には、ステップＳ１０８に進み、そうでない場合には、ステップＳ１０９に進む。
【００９７】
（ステップＳ１０８）送信部２７は、受信部２５が受信した交換要求情報を電子ペン１に送信する。そして、ステップＳ１０５に戻る。
【００９８】
（ステップＳ１０９）記載情報受信部２３は、記載情報を受信したかどうか判断する。そして、受信した場合には、ステップＳ１１０に進み、そうでない場合には、ステップＳ１１１に進む。
【００９９】
（ステップＳ１１０）送信部２４は、記載情報受信部２３が受信した記載情報を電子ペン認証装置３に送信する。そして、ステップＳ１０５に戻る。
【０１００】
（ステップＳ１１１）情報処理装置２の図示しない制御部は、一連の処理を終了するかどうか判断する。そして、終了する場合には、ステップＳ１０１に戻り、そうでない場合には、ステップＳ１０５に戻る。
【０１０１】
なお、図５のフローチャートでは、電子ペン１に関係する処理を主に記載したが、それ以外の処理を情報処理装置２が行ってもよい。例えば、電子ペン認証システムにおいて、イーラーニングを行う際に、電子ペン１を使用しないで、そのイーラーニングの処理を行う場合には、例えば、キーボード等で受け付けた情報を電子ペン認証装置３やその他の装置に送信する処理等を情報処理装置２が実行してもよい。また、図５のフローチャートにおいて、これ以外の処理を行ってもよいことは言うまでもない。例えば、受信部２５は、テストを受験することができないことを示す情報であるテスト受験不許可情報を受信したかどうか判断し、受信した場合には、表示部２６が、そのテスト受験不許可情報をモニタに表示してもよい。
【０１０２】
また、図５のフローチャートのステップＳ１０１〜Ｓ１０３において、電子ペン１や、入力デバイス等から、電子ペン識別情報、ユーザ識別情報、名前の記載情報の順で情報が入力される場合について説明したが、それ以外の順番でも各情報を受け付けたり受信したりできるようにしてもよい。
【０１０３】
次に、本実施の形態による電子ペン認証装置３の動作について、図６のフローチャートを用いて説明する。
（ステップＳ２０１）電子ペン識別情報受信部３２は、電子ペン識別情報を受信したかどうか判断する。そして、受信した場合には、ステップＳ２０２に進み、そうでない場合には、受信するまでステップＳ２０１の処理を繰り返す。なお、受信された電子ペン識別情報は、図示しない記録媒体において一時的に記憶されてもよい。
【０１０４】
（ステップＳ２０２）ユーザ識別情報受付部３１は、ユーザ識別情報やパスワードを受け付けたかどうか判断する。そして、受け付けた場合には、ステップＳ２０３に進み、そうでない場合には、受け付けるまでステップＳ２０２の処理を繰り返す。なお、あらかじめ決められた時間が経過してもユーザ識別情報等を受け付けない場合には、タイムアウトであるとしてステップＳ２０１に戻ってもよい。また、受け付けられたユーザ識別情報等は、図示しない記録媒体において一時的に記憶されてもよい。
【０１０５】
（ステップＳ２０３）記載情報受信部３３は、名前の記載情報を受信したかどうか判断する。そして、受信した場合には、ステップＳ２０４に進み、そうでない場合には、受信するまでステップＳ２０３の処理を繰り返す。なお、あらかじめ決められた時間が経過しても記載情報を受信しない場合には、タイムアウトであるとしてステップＳ２０１に戻ってもよい。また、受信した名前の記載情報は、図示しない記録媒体において一時的に記憶されてもよい。
【０１０６】
（ステップＳ２０４）情報取得部３４は、記載情報受信部３３が受信した名前の記載情報から、画数等の情報を取得する。その取得した情報は、図示しない記録媒体において一時的に記憶されてもよい。
【０１０７】
（ステップＳ２０５）認証部３６は、ユーザ識別情報やパスワード、電子ペン識別情報、記載情報から取得された画数等の情報を用いて、ユーザ識別情報、電子ペン識別情報、記載情報ごとの認証を行う。この処理の詳細の一例については、図７のフローチャートを用いて後述する。
【０１０８】
（ステップＳ２０６）認証結果情報出力部３７は、ステップＳ２０５での認証の結果を示す認証結果情報を出力する。
【０１０９】
（ステップＳ２０７）実行部４０は、認証結果対応情報記憶部３８で記憶されている認証結果対応情報を参照し、ステップＳ２０５での認証の結果に応じた処理情報を取得する。
【０１１０】
（ステップＳ２０８）実行部４０は、取得した処理情報の示す処理を実行する。その処理の実行には、例えば、情報処理装置２から送信された記載情報を用いた筆跡等のデジタル化の処理や、その筆跡等を用いた文字認識の処理等が含まれてもよい。その場合には、その実行の処理は、記載情報受信部３３等をも用いて行われることになる。そして、ステップＳ２０１に戻る。
【０１１１】
なお、図６のフローチャートでは、電子ペン１に関係する処理を主に記載したが、それ以外の処理を電子ペン認証装置３が行ってもよい。例えば、電子ペン認証システムにおいて、イーラーニングを行う際に、電子ペン１を用いて認証を行い、その後に電子ペン１を使用しないで、マウスやキーボード等を用いてイーラーニングの処理を行う場合には、例えば、情報処理装置２から送信された問題への解答を示す情報を用いた採点の処理や、情報処理装置２へのイーラーニングの画像・音声を送信する処理等を電子ペン認証装置３が実行してもよい。
【０１１２】
また、図６のフローチャートのステップＳ２０１〜Ｓ２０３において、情報処理装置２から電子ペン識別情報、ユーザ識別情報、名前の記載情報の順で情報が送信される場合について説明したが、それ以外の順番でも各情報を受信できるようにしてもよい。
【０１１３】
図７は、図６のフローチャートにおける認証の処理（ステップＳ２０５の処理）の詳細の一例を示すフローチャートである。
（ステップＳ３０１）認証部３６は、対応情報記憶部３５で記憶されている対応情報を参照し、ユーザ識別情報受付部３１が受け付けたユーザ識別情報に対応するパスワードを特定する。
【０１１４】
（ステップＳ３０２）認証部３６は、ユーザ識別情報受付部３１が受け付けたパスワードが、ステップＳ３０１で特定したパスワードと一致するかどうか判断する。そして、一致する場合には、ステップＳ３０３に進み、そうでない場合には、ステップＳ３０４に進む。
【０１１５】
（ステップＳ３０３）認証部３６は、ユーザ識別情報に関する認証が正当であると判断する。
【０１１６】
（ステップＳ３０４）認証部３６は、ユーザ識別情報に関する認証が正当でないと判断する。
【０１１７】
（ステップＳ３０５）認証部３６は、対応情報記憶部３５で記憶されている対応情報を参照し、ユーザ識別情報受付部３１が受け付けたユーザ識別情報に対応する電子ペン識別情報を特定する。
【０１１８】
（ステップＳ３０６）認証部３６は、電子ペン識別情報受信部３２が受信した電子ペン識別情報が、ステップＳ３０５で特定した電子ペン識別情報と一致するかどうか判断する。そして、一致する場合には、ステップＳ３０７に進み、そうでない場合には、ステップＳ２０８に進む。
【０１１９】
（ステップＳ３０７）認証部３６は、電子ペン識別情報に関する認証が正当であると判断する。
【０１２０】
（ステップＳ３０８）認証部３６は、電子ペン識別情報に関する認証が正当でないと判断する。
【０１２１】
（ステップＳ３０９）認証部３６は、対応情報記憶部３５で記憶されている対応情報を参照し、ユーザ識別情報受付部３１が受け付けたユーザ識別情報に対応する過去記載情報を特定する。
【０１２２】
（ステップＳ３１０）認証部３６は、記載情報受信部３３が受信した名前の記載情報から情報取得部３４によって取得された画数等の情報が、ステップＳ３０９で特定された過去記載情報の示す画数等の情報と一致するかどうか判断する。そして、一致する場合には、ステップＳ３１１に進み、そうでない場合には、ステップＳ３１２に進む。
【０１２３】
（ステップＳ３１１）認証部３６は、記載情報に関する認証が正当であると判断する。
【０１２４】
（ステップＳ３１２）認証部３６は、記載情報に関する認証が正当でないと判断する。そして、図６のフローチャートに戻る。
【０１２５】
なお、この図７のフローチャートは、認証の処理の一例を示すものであって、これ以外の方法によっても認証を行うことができることは言うまでもない。ここでは、ユーザ識別情報を基準として認証を行う場合について説明したが、前述のように、パスワードを用いないで認証を行ってもよく、電子ペン識別情報を基準として認証を行ってもよく、記載情報を基準として認証を行ってもよい。
【０１２６】
次に、本実施の形態による情報処理装置２や電子ペン認証装置３の動作について、具体例を用いて説明する。この具体例では、ユーザが電子ペン１を用いてテストを受験する場合について説明する。
【０１２７】
また、この具体例において、対応情報記憶部３５では、図８で示される対応情報が記憶されているものとする。図８で示される対応情報において、ユーザ識別情報と、パスワードと、電子ペン識別情報と、過去記載情報とが対応付けられている。過去記載情報には、筆跡を示す情報と、画数を示す情報と、記載時間（秒）を示す情報とが含まれる。筆跡は、画像情報によって示される。画数は、画数を示す数字によって示される。カンマによって文字ごとの画数に区切られている。また、記載時間は、名前を記載し始めてから、記載し終わるまでの時間を示す情報である。
【０１２８】
また、この具体例において、認証結果対応情報記憶部３８では、図９で示される認証結果対応情報が記憶されているものとする。図９で示される認証結果対応情報において、ユーザ識別情報の認証結果と、電子ペン識別情報の認証結果と、記載情報の認証結果と、処理情報とが対応付けられている。認証結果において、「○」は、正当であると認証されたことを示し、「×」は、正当でないと認証されたことを示している。処理情報は、説明の便宜上、処理内容をテキストで示す情報であるとしているが、例えば、処理に対応したコマンドの識別情報等であってもよい。認証結果対応情報において、ユーザ識別情報に関する認証結果が「×」である場合には、電子ペン識別情報と記載情報との認証結果について記載されていないが、その電子ペン識別情報と記載情報との認証結果は、どちらでもよいという意味である。
【０１２９】
まず、ユーザが、電子ペン１を起動したとする。すると、電子ペン１から電子ペン識別情報「Ｐ００１」が情報処理装置２に送信され、情報処理装置２の電子ペン識別情報受信部２２によって受信される（ステップＳ１０１）。その受信を検知すると、情報処理装置２の図示しない表示部は、図１０で示されるユーザ識別情報等の入力を要求する画面を図示しないモニタに表示する。この表示において、ユーザがキーボードやマウス等を操作して、ユーザ識別情報「Ｕ００１」と、パスワード「ＡＢＣＤ」とを入力し、「ＯＫ」ボタンをクリックしたとする。すると、それらの情報が情報処理装置２のユーザ識別情報受付部２１で受け付けられる（ステップＳ１０２）。
【０１３０】
ユーザ識別情報等が受け付けられたことを検知すると、図示しない表示部は、図１１で示される解答用紙への記名を要求する画面を図示しないモニタに表示する。この表示に対応して、図１２で示されるように、ユーザが電子ペン１を用いて解答用紙に氏名を記入したとする。すると、その名前に関する座標情報と圧力情報とが座標情報取得部１２と圧力情報取得部１３とによって取得される。また、記載情報構成部１４によって、座標情報と圧力情報とから記載情報が構成され、情報処理装置２に送信される。情報処理装置２の記載情報受信部２３は、図１３で示されるような記載情報を順次、受信する（ステップＳ１０３）。図１３において、（ｘ１，ｙ１）等によって座標情報が示され、ｚ１等によって圧力情報が示されるものとする。記載情報受信部２３による名前の記載情報の受信が終了すると、送信部２４は、ユーザ識別情報「Ｕ００１」、パスワード「ＡＢＣＤ」、電子ペン識別情報「Ｐ００１」、名前の記載情報が電子ペン認証装置３に送信される（ステップＳ１０４）。
【０１３１】
電子ペン認証装置３の電子ペン識別情報受信部３２は、情報処理装置２から送信された電子ペン識別情報「Ｐ００１」を受信する（ステップＳ２０１）。また、ユーザ識別情報受付部３１は、情報処理装置２から送信されたユーザ識別情報「Ｕ００１」と、パスワード「ＡＢＣＤ」とを受信する（ステップＳ２０２）。また、記載情報受信部３３は、情報処理装置２から送信された記載情報を受信する（ステップＳ２０３）。そして、情報取得部３４による、画数等の取得の処理が実行される（ステップＳ２０４）。ここでは、対応情報において、筆跡、画数、記載時間のみが存在するため、情報取得部３４も、それと同じ情報のみを取得するものとする。ここでは、「和尾太郎」の筆跡と、画数「８，７，４，８」と、記載時間７．０秒とが取得されたものとする。すると、認証部３６は、ユーザ識別情報等を用いた認証を実行する（ステップＳ２０５）。
【０１３２】
具体的には、認証部３６は、図８で示される対応情報を参照し、ユーザ識別情報受付部３１が受け付けたユーザ識別情報「Ｕ００１」に対応するパスワード「ＡＢＣＤ」を特定する（ステップＳ３０１）。そして、その特定したパスワードと、ユーザ識別情報受付部３１が受け付けたパスワードとが一致するため（ステップＳ３０２）、ユーザ識別情報に関する認証が正当であると判断する（ステップＳ３０３）。
【０１３３】
次に、認証部３６は、図８で示される対応情報を参照し、ユーザ識別情報「Ｕ００１」に対応する電子ペン識別情報「Ｐ００１」を特定する（ステップＳ３０５）。そして、その特定した電子ペン識別情報と、電子ペン識別情報受信部３２が受信した電子ペン識別情報とが一致するため（ステップＳ３０６）、電子ペン識別情報に関する認証が正当であると判断する（ステップＳ３０７）。
【０１３４】
次に、認証部３６は、図８で示される対応情報を参照し、ユーザ識別情報「Ｕ００１」に対応する過去記載情報を特定する（ステップＳ３０９）。そして、その特定した過去記載情報と、記載情報受信部３３によって受信され、情報取得部３４によって取得された情報とが一致するかどうか判断する。ここで、両者が一致するとは、両者の類似度が８割以上であることであると設定されているものとする。また、認証部３６によって、受信された記載情報から取得された筆跡と、過去記載情報の示す筆跡とが、９割類似すると判断され、両画数が、１０割類似すると判断され、両記載時間が９．７割類似すると判断されたとする。すると、平均して９．６割類似することになるため、全体としては、受信された記載情報と、特定された過去記載情報とが一致すると認証部３６によって判断され、記載情報に関する認証が正当であると判断される（ステップＳ３１１）。
【０１３５】
したがって、認証結果情報出力部３７は、図１４で示される認証結果情報を図示しないモニタに表示する（ステップＳ２０６）。この表示を見ることによって、電子ペン認証装置３のオペレータ等は、すべての情報に関して正当であると認証されたことを知ることができる。
【０１３６】
また、実行部４０は、認証結果対応情報記憶部３８で記憶されている認証結果対応情報を参照し、ユーザ識別情報、電子ペン識別情報、記載情報のすべてが正当であると判断された場合の処理情報「テスト問題情報の送信」を取得する（ステップＳ２０７）。そして、実行部４０は、その処理情報に応じて、テスト問題情報記憶部３９からテスト問題情報を読み出し、情報処理装置２に送信する（ステップＳ２０８）。
【０１３７】
情報処理装置２の受信部２５は、そのテスト問題情報を受信し、表示部２６に渡す（ステップＳ１０５）。そして、表示部２６によって、図１５で示されるテスト問題情報が図示しないモニタに表示される（ステップＳ１０６）。ユーザは、その問題を見て、解答を解答用紙に順次書き込んでいく。その書き込まれた解答に応じた記載情報は、記載情報受信部２３で受信され（ステップＳ１０９）、電子ペン認証装置３に送信される（ステップＳ１１０）。電子ペン認証装置３の記載情報受信部３３は、その記載情報を受信し、実行部４０に渡す。すると、実行部４０は、その記載情報に対応した画像データを形成し、その画像データをユーザ識別情報「Ｕ００１」に対応付けて順次、図示しない記録媒体に蓄積する。このようして、解答情報が電子ペン認証装置３において蓄積されていくことになる。
【０１３８】
次に、電子ペン識別情報に関する認証で正当でないと判断され、それ以外の認証では正当であると判断された場合について簡単に説明する。その場合には、実行部４０は、図９で示される認証結果対応情報を参照し、処理情報「交換要求情報の送信」を取得する（ステップＳ２０７）。そして、その処理情報に応じて、交換要求情報を情報処理装置２に送信する。なお、この交換要求情報は、図示しない記録媒体において記憶されていてもよい。また、この交換要求情報は、「これはあなたのペンではありません。自分のペンを使ってください」という音声信号であるとする。
【０１３９】
その交換要求情報は、情報処理装置２の受信部２５で受信され、送信部２７に渡される（ステップＳ１０７）。送信部２７は、その交換要求情報を電子ペン１に送信する（ステップＳ１０８）。その交換要求情報は、電子ペン１の受信部１６で受信され、出力部１７は、その交換要求情報の音声信号を図示しないスピーカから出力する。その結果、図１６で示されるように、ユーザの使用しているペンが本人のものでないことを示す音声が電子ペン１から出力されることになる。なお、この具体例では、図９で示されるように、電子ペン識別情報に関する認証結果が正当でない場合に、テスト問題情報が送信されないが、電子ペン識別情報に関する認証結果が正当でなくても、テスト問題情報を送信し、受験者がテストを受験できるようにしてもよい。
【０１４０】
また、この具体例では、図９で示される認証結果対応情報から分かるように、ユーザ識別情報の認証結果と、電子ペン識別情報の認証結果が正当であり、記載情報の認証結果が正当でない場合にも、不正であることの注意を喚起するためのフラグは設定されるが（このフラグは、テストの主催者が見ることができ、テストの受験者は見ることができないものとする）、テスト問題情報自体は送信され、テスト自体は行われることになる。したがって、テストの主催者は、テストの終了後にテストの受験者から事情を聞くことなどによって、本当に不正が行われていたのかどうかを判断することができうる。例えば、テストの受験者が、利き手のケガによって利き手でない方の手で名前や解答を記載している場合には、後からそのような事情を聞くことによって、不正が行われていなかったと判断することもできうる。
【０１４１】
なお、この具体例では、解答用紙に認証用の名前が記入される場合について説明したが、テストやイーラーニング等の処理自体が電子ペン１を用いて実行されない場合には、例えば、図１７で示されるように、個人を認証するために氏名を記載する専用のシートに名前を記入するようにしてもよい。このようにすることで、ユーザ識別情報とパスワードのみを用いた認証よりも、より厳密な認証を行うことができるようになる。このように、認証のみに電子ペン１が用いられてもよく、認証後の処理にも電子ペン１が用いられてもよい。
【０１４２】
また、実行部４０が実行する、認証結果に対応した処理情報の示す処理は、この具体例で説明したものに限定されるものではなく、各種のものがありうる。例えば、ユーザ識別情報と電子ペン識別情報に関する認証が正当であり、記載情報に関する認証のうち、筆跡は正当であるが、記載時間が正当でない場合には、オペレータにその旨の警告を出力する処理を示す処理情報が、認証結果対応情報において対応付けられていてもよい。
【０１４３】
また、この具体例では、認証部３６が、過去記載情報を用いて記載情報に関する認証を行う場合について説明したが、認証部３６は、過去記載情報を用いないで記載情報に関する認証を行ってもよい。この場合には、例えば、認証部３６は、記載情報に含まれている記載時間、あるいは、記載情報から取得された記載時間を用いて、その記載時間があらかじめ設定されているしきい値の時間よりも長い場合には、正当でないと判断し、そのしきい値よりも短い場合には、正当であると判断してもよい。本人になりすましてテストを受験しようとするユーザは、本人の筆跡にできるだけ似せるように名前を記載するが、その場合には、記載時間が通常よりも長くなると考えられるからである。
【０１４４】
また、この具体例では、実行部４０がテスト問題情報を出力しうる場合について説明したが、実行部４０がテスト問題情報を出力しない場合には、電子ペン認証装置３は、テスト問題情報記憶部３９を備えていなくてもよい。
【０１４５】
以上のように、本実施の形態による電子ペン認証システムによれば、電子ペン１を用いた細かい認証を行うことができ、その認証結果に応じた処理を実行することができうる。従来であれば、正当であるのか、正当でないのかの認証のみを行っており、例えば、認証結果に応じてユーザがテストを受験できるかどうかが決定されるのみであったが、本実施の形態による電子ペン認証システムを用いることによって、「テストの受験可能」「テストの受験が可能であるが不正の可能性の高いこと示す情報を設定しておく」「テストの受験不可能」等の３段階以上の決定を行うことができるようになる。その結果、よりきめの細かい対応が可能となる。
【０１４６】
なお、本実施の形態では、電子ペン認証装置３の実行部４０が交換要求情報を送信する場合について説明したが、実行部４０は、交換要求情報を、表示部に表示してもよく、音声出力してもよく、送信以外の交換要求情報の出力を行ってもよい。
【０１４７】
また、本実施の形態では、電子ペン認証装置３が認証結果対応情報を用いて、処理情報の示す処理を実行する場合について説明したが、電子ペン認証装置３は、認証の処理を行うのみの装置であってもよい。その場合には、電子ペン認証装置３は、例えば、認証結果対応情報記憶部３８と、テスト問題情報記憶部３９と、実行部４０とを備えていなくてもよい。
【０１４８】
また、本実施の形態では、電子ペン認証装置３が情報処理装置２からユーザ識別情報や電子ペン識別情報、記載情報等を受信する場合について説明したが、電子ペン認証装置３は、それらの情報を情報処理装置２以外から受信したり、受け付けたりしてもよい。例えば、電子ペン認証装置３は、電子ペン識別情報と記載情報を電子ペン１から直接受信してもよく、また、ユーザ識別情報やパスワードをユーザから直接受け付けてもよい。
【０１４９】
また、本実施の形態では、認証の処理において、ユーザ識別情報やパスワード、電子ペン識別情報等が一致するかどうかを判断する場合について説明したが、それ以外の判断によって認証の処理を行ってもよい。例えば、受信した電子ペン識別情報と、対応情報に含まれている電子ペン識別情報とがあらかじめ決められている関係を有する場合に、認証部３６は、その電子ペン識別情報が正当であると認証してもよい。あらかじめ決められている関係とは、例えば、一方の情報にあらかじめ決められている演算（例えば、１を足す、ハッシュ値をとる、逆数をとる等の演算）を行えば、他方の情報となる関係などである。
【０１５０】
また、本実施の形態において、過去の認証結果を保存しておき、例えば、正当でないと認証されることがあらかじめ決められている回数以上、続いた場合には、それに応じた処理を行うようにしてもよい。例えば、あるユーザや、ある電子ペン１について、所定の回数（例えば、３回など）以上、正当でないと認証されることが続いた場合には、その認証に対応する電子ペン１の認証を行わないようにしてもよく、その認証に対応するユーザの認証を行わないようにしてもよく、あるいは、管理者等にその旨を通知してもよい。過去の認証結果は、例えば、ユーザ識別情報や、電子ペン識別情報に対応付けられて、図示しない記録媒体において記憶されていてもよい。また、実行部４０は、認証部３６による認証結果が正当でない旨である場合に、過去の認証結果を示す情報を参照し、それがあらかじめ決められている回数を超えるだけ続いているかどうか判断し、続いている場合には、図示しない記録媒体で記憶されている、所定回数以上正当でないと認証されたことが続いた場合に実行する処理を示す処理情報を読み出して、その処理を実行してもよい。このようにすることは、不正防止の観点から効果的である。
【０１５１】
また、上記実施の形態では、電子ペン認証装置３がサーバ・クライアントシステムにおけるサーバ装置である場合について説明したが、電子ペン認証装置３は、スタンドアロンの装置であってもよい。
【０１５２】
また、上記実施の形態において、各処理または各機能は、単一の装置または単一のシステムによって集中処理されることによって実現されてもよく、あるいは、複数の装置または複数のシステムによって分散処理されることによって実現されてもよい。
【０１５３】
また、上記実施の形態において、各構成要素が実行する処理に関係する情報、例えば、各構成要素が受け付けたり、取得したり、選択したり、生成したり、送信したり、受信したりした情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０１５４】
また、上記実施の形態において、各構成要素等で用いられる情報、例えば、各構成要素が処理で用いるしきい値やアドレス、各種の設定値等の情報がユーザによって変更されてもよい場合には、上記説明で明記していない場合であっても、ユーザが適宜、それらの情報を変更できるようにしてもよく、あるいは、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【０１５５】
また、上記実施の形態において、電子ペン認証装置３に含まれる２以上の構成要素が通信デバイスや入力デバイス等を有する場合に、２以上の構成要素が物理的に単一のデバイスを有してもよく、あるいは、別々のデバイスを有してもよい。
【０１５６】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記実施の形態における電子ペン認証装置３を実現するソフトウェアは、以下のようなプログラムである。つまり、このプログラムは、コンピュータを、ユーザを識別する情報であるユーザ識別情報を受け付けるユーザ識別情報受付部と、前記ユーザ識別情報受付部が受け付けたユーザ識別情報で識別されるユーザが使用している電子ペンを識別する情報である電子ペン識別情報を受信する電子ペン識別情報受信部と、前記ユーザが前記電子ペンを使用して名前を記載した際の当該記載に関する情報である記載情報を受信する記載情報受信部と、対応情報記憶部で記憶される、ユーザ識別情報と、当該ユーザ識別情報で識別されるユーザの電子ペンを識別する電子ペン識別情報とを対応付ける情報である対応情報を用いて、前記ユーザ識別情報受付部が受け付けたユーザ識別情報を用いた認証と、前記電子ペン識別情報受信部が受信した電子ペン識別情報を用いた認証と、前記記載情報受信部が受信した記載情報を用いた認証とを行う認証部として動作させるためのものである。
【０１５７】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には少なくとも含まれない。
【０１５８】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１５９】
また、このプログラムを実行するコンピュータは、単数であってもよく、複数であってもよい。すなわち、集中処理を行ってもよく、あるいは分散処理を行ってもよい。
【０１６０】
図１８は、上記プログラムを実行して、上記実施の形態による電子ペン認証装置３を実現するコンピュータの外観の一例を示す模式図である。上記実施の形態は、コンピュータハードウェア及びその上で実行されるコンピュータプログラムによって実現されうる。
【０１６１】
図１８において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１６２】
図１９は、コンピュータシステム９００の内部構成を示す図である。図１９において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１６３】
コンピュータシステム９００に、上記実施の形態による電子ペン認証装置３の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０１６４】
プログラムは、コンピュータ９０１に、上記実施の形態による電子ペン認証装置３の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１６５】
また、本発明は、以上の実施の形態に限定されることなく、種々の変更が可能であり、それらも本発明の範囲内に包含されるものであることは言うまでもない。
【産業上の利用可能性】
【０１６６】
以上より、本発明による電子ペン認証装置等によれば、電子ペンを用いた細かい認証を行うことができるという効果が得られ、例えば、電子ペンを用いたイーラーニングシステム等として有用である。
【図面の簡単な説明】
【０１６７】
【図１】本発明の実施の形態１による電子ペン認証システムの構成を示す図
【図２】同実施の形態による電子ペンの構成を示すブロック図
【図３】同実施の形態による情報処理装置の構成を示すブロック図
【図４】同実施の形態による電子ペン認証装置の構成を示すブロック図
【図５】同実施の形態による情報処理装置の動作を示すフローチャート
【図６】同実施の形態による電子ペン認証装置の動作を示すフローチャート
【図７】同実施の形態による電子ペン認証装置の動作を示すフローチャート
【図８】同実施の形態における対応情報の一例を示す図
【図９】同実施の形態における認証結果対応情報の一例を示す図
【図１０】同実施の形態における表示の一例を示す図
【図１１】同実施の形態における表示の一例を示す図
【図１２】同実施の形態における解答用紙の一例を示す図
【図１３】同実施の形態における記載情報の一例を示す図
【図１４】同実施の形態における表示の一例を示す図
【図１５】同実施の形態における表示の一例を示す図
【図１６】同実施の形態における交換要求情報の出力について説明するための図
【図１７】同実施の形態における氏名記入欄を有する個人認証シートの一例を示す図
【図１８】同実施の形態におけるコンピュータシステムの外観一例を示す模式図
【図１９】同実施の形態におけるコンピュータシステムの構成の一例を示す図
【符号の説明】
【０１６８】
１  電子ペン
２  情報処理装置
３  電子ペン認証装置
４  媒体
１１  電子ペン識別情報記憶部
１２  座標情報取得部
１３  圧力情報取得部
１４  記載情報構成部
１５、２４、２７  送信部
１６、２５  受信部
１７  出力部
２１、３１  ユーザ識別情報受付部
２２、３２  電子ペン識別情報受信部
２３、３３  記載情報受信部
２６  表示部
３４  情報処理部
３４  情報取得部
３５  対応情報記憶部
３６  認証部
３７  認証結果情報出力部
３８  認証結果対応情報記憶部
３９  テスト問題情報記憶部
４０  実行部
【図１】
0005162279.tif 000002
【図２】
0005162279.tif 000003
【図３】
0005162279.tif 000004
【図４】
0005162279.tif 000005
【図５】
0005162279.tif 000006
【図６】
0005162279.tif 000007
【図７】
0005162279.tif 000008
【図８】
0005162279.tif 000009
【図９】
0005162279.tif 000010
【図１０】
0005162279.tif 000011
【図１１】
0005162279.tif 000012
【図１２】
0005162279.tif 000013
【図１３】
0005162279.tif 000014
【図１４】
0005162279.tif 000015
【図１５】
0005162279.tif 000016
【図１６】
0005162279.tif 000017
【図１７】
0005162279.tif 000018
【図１８】
0005162279.tif 000019
【図１９】
0005162279.tif 000020